(57)【特許請求の範囲】
【請求項１】
制御基板を収納した基板ケースが、遊技盤の後面側に配設された被取付部材に取り付けられる構成のパチンコ遊技機であって、
前記基板ケースが、
前記遊技盤に設けられた挿通孔を挿通して、前記遊技盤の前面側におけるガラス扉に覆われた領域に止められる連結部材、を備えて構成され、
前記挿通孔を挿通させて前記遊技盤の前面側に止めた前記連結部材により、前記遊技盤からの分離を規制されて、配設され、
前記連結部材が、前端に、前記挿通孔を挿通可能で、かつ、前記遊技盤の前面側に止められる止め部材を備え、
該止め部材が、前記遊技盤の前面側で締結される締結具により、前記挿通孔からの抜けを規制される構成とし、
前記締結具が、
前記止め部材を前記挿通孔から抜け不能とするように前記止め部材に締結される締結本体部と、
該締結本体部を、前記止め部材を前記挿通孔から抜け不能とする締結位置と、前記止め部材を前記挿通孔から抜け可能とする非締結位置と、に移動させる駆動機構と、
を備えて、
前記駆動機構が、前記締結本体部の締結位置から非締結位置への移動を電気的に制御して規制するロック制御手段を備えて構成されていることを特徴とするパチンコ遊技機。
【発明の詳細な説明】
【技術分野】
【０００１】
本発明は、制御基板を収納した基板ケースが、遊技盤の後面側に配設された盤裏カバー等の被取付部材に取り付けられる構成のパチンコ遊技機に関し、不正に、基板ケースが、制御基板ごと、取り外されることを防止可能なパチンコ遊技機に関する。
【背景技術】
【０００２】
従来、この種のパチンコ遊技機において、基板ケースが被取付部位から取り外されることを防止する構造としては、基板ケース自体を、外れ不能となるカシメネジにより、盤裏カバー等の被取付部材に取り付けるものがあった（例えば、特許文献１参照）。また、この構成では、基板ケースを無理に被取付部材から外そうとすれば、カシメネジの周囲の部位を切断することとなって、その痕跡が残ることから、基板ケースの不正交換を簡単に見つけることができた。
【先行技術文献】
【特許文献】
【０００３】
【特許文献１】特開２００８−１４９１６７号公報
【発明の概要】
【発明が解決しようとする課題】
【０００４】
しかし、従来の構成では、基板ケースの取り付けが、遊技盤の後面側だけであって、機枠に対し、遊技盤を中枠（内枠）ごと回転させて開ければ、基板ケースの被取付部位が露出されることから、直ちに、取外作業に移行できてしまう。
【０００５】
そのため、基板ケースを取り外す際に手間がかかって、不正行為者の基板ケースを取り外す意欲を削ぎ、不正行為を防止できるパチンコ遊技機が要望されていた。
【０００６】
本発明は、上記の課題を解決するものであり、基板ケースを取り外す不正行為者の意欲を削ぐように、基板ケースの取り外しに手間がかかって、不正行為を防止可能なパチンコ遊技機を提供することを目的とする。
【課題を解決するための手段】
【０００７】
本発明に係るパチンコ遊技機は、制御基板を収納した基板ケースが、遊技盤の後面側に配設された被取付部材に取り付けられる構成のパチンコ遊技機であって、
基板ケースが、遊技盤に設けられた挿通孔を挿通して、遊技盤の前面側におけるガラス扉に覆われた領域に止められる連結部材、を備えて構成され、
挿通孔を挿通させて遊技盤の前面側に止めた連結部材により、遊技盤からの分離を規制されて、配設されていることを特徴とする。
【０００８】
本発明に係るパチンコ遊技機では、基板ケースを取り外す際、まず、ガラス扉を開け、遊技盤の前面側において、連結部材の遊技盤への連結を解除する。ついで、遊技盤を設けた中枠（内枠）を開け、遊技盤の後面側を露出させるとともに、基板ケースにおける被取付部材との取付箇所を露出させて、連結部材を遊技盤の後面側に引き抜きつつ、基板ケースを被取付部材から取り外すこととなる。
【０００９】
すなわち、本発明に係るパチンコ遊技機では、基板ケースを取り外す際に、基板ケースを露出させるように中枠を開ける前段階において、一旦、ガラス扉を開けて、遊技盤の前面側における連結部材の遊技盤との連結状態を解除する作業が、必要となって、手間がかかることから、不正行為者の意欲を削いで、不正な基板ケースの取り外しを防止可能となる。
【００１０】
なお、遊技盤の前面側における連結部材を止める領域は、遊技球の遊技領域でも良いし、遊技球の転動しない非遊技領域でも良いが、遊技領域に配置する場合には、遊技球と接触しても変形せず、また、見栄えよく配設する必要が生じて、簡便に構成し難いことから、連結部材を止める領域は、非遊技領域とすることが望ましい。
【００１１】
そして、本発明に係るパチンコ遊技機の連結部材における基板ケース側の元部と遊技盤側の前端との間の本体は、可撓性を有した紐状に形成したり、あるいは、可撓性を有しない棒状に形成してもよい。この場合、連結部材の本体が可撓性を有した紐状に形成されていれば、基板ケースと遊技盤との間に種々の装置が介在されることとなっても、撓ませつつ迂回等させて、遊技盤の前面側における非遊技領域等の所定位置に、連結部材の前端を配置させることができ、連結部材の前端の止め位置の配置自由度を増加させることができて、任意の位置に止め位置を配置させ易い。一方、連結部材の本体が可撓性を有しない棒状に形成されている場合には、連結部材の前端の止め位置の配置自由度が低い。しかし、この場合には、基板ケースと遊技盤との間の距離を、連結部材の本体の棒状の長さ寸法に対応させて、一定にできることから、棒状の本体を有した連結部材の前端を遊技盤の前面側に止めれば、基板ケース自体の被取付部材に対する取付姿勢や位置等の取付状態を、補助することが可能となって、基板ケースを安定して被取付部材に取り付けることが可能となる。
【００１２】
なお、連結部材は、前端に、挿通孔を挿通可能で、かつ、遊技盤の前面側に止められる止め部材を設け、止め部材を、遊技盤の前面側で締結される締結具により、挿通孔からの抜けを規制されるように、構成してもよいし、あるいは、締結具を利用すること無く、挿通孔を挿通可能で、かつ、遊技盤の前面側の挿通孔周縁に係止される止め部材だけで、連結部材を、遊技盤の前面側に止めるように構成してもよい。
【００１３】
そして、締結具を利用する場合には、締結具は、連結部材の止め部材との締結後の締結解除を、復元不能の締結具若しくは止め部材の少なくとも一方の破損によリ、行う構成として、連結部材の止め部材に対して締結する構成とすることが望ましい。このような構成では、基板ケースを取り外す際において、連結部材の止め部材と締結具との締結を解除させようとすれば、締結具若しくは止め部材の少なくとも一方が、復元できないように破損する。そのため、不正行為者が基板ケースを交換しても、破損の痕跡が残ることから、基板ケースの不正交換を簡単に見つけることができる。
【００１４】
この場合、締結解除時に破損する部位は、着色剤を収納させて、破損時に、遊技盤の前面側から目視可能に着色剤を流出させるように、構成しても良い。このような構成では、着色剤の流出によって、締結具若しくは止め部材の破損が、一層、容易に確認できる。
【００１５】
さらに、本発明に係るパチンコ遊技機の締結具は、
止め部材を挿通孔から抜け不能とするように止め部材に締結される締結本体部と、
締結本体部を、止め部材を挿通孔から抜け不能とする締結位置と、止め部材を挿通孔から抜け可能とする非締結位置と、に移動させる駆動機構と、
を備えて、
駆動機構に、締結本体部の締結位置から非締結位置への移動を電気的に制御して規制するロック制御手段を設けて構成することが望ましい。
【００１６】
このような構成では、ロック制御手段が作動されて、駆動機構が締結本体部を締結位置から非締結位置に移動させれば、止め部材を締結具から外して、基板ケースを取り外すことができる。一方、ロック制御手段が作動されなければ、駆動機構が締結本体部を非締結位置から締結位置に移動させないことから、連結部材の止め部材は、挿通孔から抜けず、基板ケースを取り外すことができない。そして、不正行為者が連結部材の止め部材と締結本体部との締結を無理に解除しようとすれば、ガラス扉を開けて、遊技盤の前面側で解除作業を行わなければならず、手間がかかり、さらに、その痕跡が残り易く、基板ケースの不正交換を簡単に見つけることができる。
【００１７】
この場合、ロック制御手段は、例えば、所定時に、締結本体部を非締結位置に移動させて、通常時、締結本体部を締結位置に配置させるように、駆動機構の駆動時を設定可能なタイマーを設けて構成することができる。このような構成では、タイマーの設定時間以外には、基板ケースを取り外せず、無理に取り外そうとすれば、不正行為者は、ガラス扉を開けて、遊技盤の前面側で、連結部材の止め部材と締結本体部との締結部位付近を破損しなければならない。
【００１８】
また、ロック制御手段としては、リモコン発信機からの信号により、締結本体部を非締結位置に移動させて、通常時、締結本体部を締結位置に配置させるように、駆動機構の駆動を操作可能な受信部を設けて構成してもよい。このような構成では、所定のリモコン発信機からの信号発信時以外では、基板ケースを取り外せず、無理に取り外そうとすれば、不正行為者は、ガラス扉を開けて、遊技盤の前面側で、連結部材の止め部材と締結本体部との締結部位付近を破損しなければならない。
【発明の効果】
【００１９】
したがって、本発明に係るパチンコ遊技機では、基板ケースを取り外す不正行為者の意欲を削ぐように、基板ケースの取り外しに手間がかかって、不正行為を防止することができる。
【図面の簡単な説明】
【００２０】
【図１】本発明の第１実施形態のパチンコ遊技機の概略正面図である。
【図２】第１実施形態のパチンコ遊技機の概略背面図である。
【図３】第１実施形態に使用するパチンコ遊技機の遊技盤の概略背面図である。
【図４】第１実施形態の制御基板を収納した状態の基板ケースの概略斜視図である。
【図５】第１実施形態の連結部材の挿通状態を示すパチンコ遊技機の概略縦断面図であり、図３のＶ−Ｖ部位に対応する。
【図６】第１実施形態の締結具付近を示すパチンコ遊技機の概略拡大斜視図であり、締結具を締め付けた状態と反締付方向に回した状態とを示す。
【図７】第１実施形態の締結具（本体部）の概略正面図であって、インクカプセルを外した状態の締付方向への回転時と反締付方向への回転時との状態を示す。
【図８】第１実施形態の締結具（本体部）の断面図であり、図７のVIII−VIII部位に対応する。
【図９】第１実施形態の締結具における連結部材の止め部材との締結時と締結解除時とを示す概略拡大正面図である。
【図１０】第１実施形態の変形例を示す連結部材の挿通状態を示すパチンコ遊技機の概略部分縦断面図である。
【図１１】第１実施形態の他の変形例の締結具における連結部材の止め部材との締結時と締結解除時とを示す概略部分縦断面図である。
【図１２】第２実施形態の連結部材の挿通状態を示すパチンコ遊技機の概略部分縦断面図であり、締結具の締結本体部が締結位置と非締結位置とに配置されている状態を示す。
【図１３】第２実施形態のロック制御手段のブロック図を示す。
【図１４】第２実施形態の連結部材の挿通状態を示すパチンコ遊技機の概略部分縦断面図であり、締結具の締結本体部が締結位置と非締結位置とに配置されている状態を示す。
【図１５】第３実施形態のロック制御手段のブロック図を示す。
【図１６】第４実施形態の連結部材の遊技盤との連結状態を説明する概略部分縦断面図である。
【発明を実施するための形態】
【００２１】
［第１実施形態の構成］
以下、本発明の第１実施形態を図面に基づいて説明すると、第１実施形態のパチンコ遊技機１は、図１に示すように、外枠（機枠）２に、遊技盤１２を設けた中枠（内枠）１１と、中枠１１の前面側に位置してガラス扉４を設けたガラス枠ユニット（前面扉ユニット）３と、を、開き可能に取り付けて構成されている。ガラス枠ユニット３には、下部側に、球受け部６を設けた皿ユニット部５が設けられている。皿ユニット部５には、遊技球を遊技盤１２の遊技領域１６に打ち出すために操作するハンドル７や皿球抜きボタン８、通路球抜きボタン９、演出ボタン１０が配設されている。遊技領域１６の周縁には、規制壁１３や誘導レール１４が配設されている。
【００２２】
そして、図２，３に示すように、遊技盤１２の後面（背面）には、制御基板（主制御基板）２８を覆った基板ケース（主基板ケース）３０が配設されている。基板ケース３０は、図４，５に示すように、底側ケース部３１と蓋側ケース部３２との２部品から構成され、底側ケース部３１と蓋側ケース部３２との間に、制御基板２８を収納し、締結機構３４のかしめピン３５を締結して、底側ケース部３１と蓋側ケース部３２とを締結することにより、組み立てられている。
【００２３】
さらに、基板ケース３０は、軸方向を左右方向に沿わせて盤裏カバー２３に配設された二本の取付軸２５，２５に対して、上縁３０ａに設けた断面Ｕ字状の取付フック３０ｃを下方側から引っ掛けて、下縁３０ｂ側を、後方側（遊技機１の後方側であって図２，３に示す紙面の表側）に移動しないように、係止フック２６に係止させて、被取付部材としての盤裏カバー２３に取り付けられている。なお、遊技盤１２の後面側では、盤裏カバー２３は、払出機構部３７やカードユニット外端ケース３８に周縁の一部を覆われ、基板ケース３０の上縁３０ａ側は、盤裏カバー２３に設けられた開閉可能な蓋部２４の下縁に覆われて、配設されている。
【００２４】
また、基板ケース３０の底側ケース部３１には、可撓性を有して容易に破断できない金属等のワイヤからなる本体４０ａを備えた連結部材４０が、配設されている。この連結部材４０は、前端（先端）４２に、ナット状の締結具４５を締結させる雄ねじ部材４３を固着させている。雄ねじ部材４３は、連結部材４０の前端４２に設けられた止め部材４２ａを構成するものであり、フランジ部４３ａから雄ねじ部４３ｂを突出させて構成されている。そして、この連結部材４０は、盤裏カバー２３に基板ケース３０が取り付けられた状態において、底側ケース部３１から前方側に突出し、前端４２側が、盤裏カバー２３を経て、遊技盤１２の後面（背面）２１側に接近し、そして、止め部材４２ａとしての雄ねじ部材４３の雄ねじ部４３ｂが、遊技盤１２の挿通孔１９を挿通し、遊技盤１２の前面１８側において、締結具４５に締結されることとなる。なお、この締結時、雄ねじ部材４３のフランジ部４３ａは、遊技盤１２の後面２１側における挿通孔１９の周縁２２に当接する。
【００２５】
また、底側ケース部３１に固着させた元部４１と締結具４５に締結された前端４２との間の連結部材４０の本体４０ａの長さ寸法Ｌは、基板ケース３０を遊技盤１２から分離させないように、制御基板２８の検査時等の基板ケース３０を裏返す作業を行える範囲内で、極力、短く設定されている。すなわち、実施形態の場合、連結部材４０の本体４０ａは、盤裏カバー２３に取り付けた状態の基板ケース３０を、係止フック２６を下縁３０ｂ側から外し、取付軸２５，２５を回転中心として、略１８０°程度、上方へ回転させることができる範囲内の短い長さとして、長さ寸法Ｌが設定されている。
【００２６】
連結部材４０を挿通させる挿通孔１９は、雄ねじ部材４３の雄ねじ部４３ｂを挿通可能な内径寸法を有して、盤裏カバー２３に取り付けられた基板ケース３０の前方側のエリアで、かつ、前面側から目視できる非遊技領域１７のエリアに、前後方向に貫通するように配設されている。
【００２７】
なお、非遊技領域１７の前面１８側における挿通孔１９の周縁２０には、後述するインクカプセル５２内の着色剤５４を吸収して、着色剤５４によって着色される不織布等からなる発色シート５６が貼着されている。
【００２８】
締結具４５は、連結部材４０の前端４２の雄ねじ部材４３における雄ねじ部４３ｂと締結可能なナット状として、非遊技領域１７の前面１８側における挿通孔１９の周縁２０に係止可能な外径寸法を有して構成されている。さらに、締結具４５は、図７，８に示すように、円環状の本体部４６と、複数のインクカプセル５２と、を備えて構成されている。本体部４６は、内周面に雄ねじ部材４３の雄ねじ部４３ｂと螺合するねじ孔４７ｂを設けた略円筒状の内筒部４７と、内筒部４７の周囲を囲う略円筒状の外筒部４８と、を備え、さらに、ねじ孔４７ｂを除いて、内筒部４７と外筒部４８との両端を覆うように、円盤状の底板５０及び天板５１を備えて構成されている。内筒部４７の外周面と外筒部４８の内周面とには、ねじ孔４７ｂの雄ねじ部４３ｂへの締め付け時に、相互に当接する係合突起４７ａ，４８ａが形成されている。実施形態の場合、締付方向は、図７のＡに示すように、外筒部４８を時計回り方向に回転させる方向としている。また、内筒部４７と外筒部４８とは、湾曲した複数の連結片部４９により連結されて、相互に同心的な位置を維持できるように、構成されている。これらの連結片部４９は、外筒部４８の内筒部４７に対する反締付方向への回転時には、延びつつ破断して、その回転を許容するように、配設されている（図７のＢ参照）。内筒部４７は、軸方向の長さを、外筒部４８より短くしている。
【００２９】
底板５０と天板５１とは、外筒部４８に固着されて、ねじ孔４７ｂのエリアを開口させるように、挿通孔５０ａ，５１ａを備えて構成されている。また、天板５１は、透明材から構成されている。
【００３０】
インクカプセル５２は、袋体５３の内部に着色剤５４が封入されて構成されている。袋体５３は、押圧力を受ければ容易に破断して、着色剤５４を流出可能な合成樹脂シート等から構成され、破断前の着色剤５４の収納時の状態では、着色剤５４の色を隠せるように設定されている。着色剤５４は、蛍光色等の視認し易い色の液体状のインクが使用されている。
【００３１】
なお、この着色剤５４としては、液体状のインクの他、底板５０と天板５１との間に充満し易ければ、液体の他、粉末やビーズ等の固体であってもよい。
【００３２】
そして、インクカプセル５２は、底板５０と天板５１とを外筒部４８に固着させる前に、外筒部４８の反締付方向側で対向する内筒部４７と外筒部４８との係合突起４７ａ，４８ａ間に、嵌め込まれている。
【００３３】
そのため、この締結具４５では、ねじ孔４７ｂに雄ねじ部材４３の雄ねじ部４３ｂを嵌め込んで締め付ける際、外筒部４８が、係合突起４７ａ，４８ａ相互を当接させて、内筒部４７を締付方向に回すことから、内筒部４７のねじ孔４７ｂが雄ねじ部４３ｂと螺合して、底板５０側を、発色シート５６を介在させて、挿通孔１９の周縁２０に当接させるまで、雄ねじ部材４３に締結させることができる。一方、逆に、締結後に、締結具４５を反締付方向に回せば、図７のＢに示すように、外筒部４８が、内筒部４７に対して、反締付方向に回り、係合突起４８ａが、締め付け時に当接していた係合突起４７ａから離れて、反締付方向側の係合突起４７ａ側に回転移動しようとし、連結片部４９が破断されて、締結具４５が破損する。この時、係合突起４７ａ，４８ａ間で挟持されたインクカプセル５２の袋体５３が破れ、着色剤５４が内筒部４７と天板５１との間に流入して、容易に、着色剤５４の色を目視できる（図６，９のＢ参照）。さらに、第１実施形態の場合には、締結具４５から流出した着色剤５４が、発色シート５６にも付いて、目視され易くなる。
【００３４】
［第１実施形態の作用・効果］
そして、第１実施形態のパチンコ遊技機１では、連結部材４０の止め部材４２ａとしての雄ねじ部材４３を、締結具４５によって、遊技盤１２の前面１８側に締結させつつ、制御基板２８を収納した基板ケース３０を、取付軸２５や係止フック２６を利用して、盤裏カバー２３に取り付けることとなる。そして、その後、基板ケース３０を取り外す際には、基板ケース３０の取付時と逆の工程を行うこととなる。すなわち、まず、ガラス扉４を開け、遊技盤１２の前面１８側において、連結部材４０の前端４２の雄ねじ部材４３における雄ねじ部４３ｂと締結具４５との締結を解除する。ついで、遊技盤１２を設けた中枠（内枠）１１を開け、遊技盤１２の後面２１側を露出させて、基板ケース３０における被取付部材としての盤裏カバー２３との取付箇所を露出させる。そして、係止フック２６の係止を解除させて、連結部材４０の前端４２側を遊技盤１２の後面２１側に引き抜きつつ、基板ケース３０の下縁３０ｂを後方へ回転させて、取付軸２５，２５から取付フック３０ｃを外せば、基板ケース３０を、被取付部材としての盤裏カバー２３から、取り外すことができる。
【００３５】
すなわち、第１実施形態のパチンコ遊技機１では、基板ケース３０を取り外す際に、基板ケース３０を露出させるように中枠１１を開ける前段階において、一旦、ガラス扉４を開けて、遊技盤１２の前面１８側における非遊技領域１７の締結具４５と連結部材４０の前端４２の雄ねじ部材４３との締結を解除する作業が、必要となって、手間がかかることから、不正行為者の意欲を削いで、不正な基板ケース３０の取り外しを防止可能となる。
【００３６】
したがって、第１実施形態のパチンコ遊技機１では、基板ケース３０を取り外す不正行為者の意欲を削ぐように、基板ケース３０の取り外しに、ガラス扉４を開ける手間がかかって、不正行為を防止することができる。
【００３７】
また、第１実施形態では、連結部材４０の本体４０ａが、可撓性を有した紐状に形成されており、基板ケース３０と遊技盤１２との間に種々の装置が介在されることとなっても、撓ませつつ迂回等させて、遊技盤１２の前面１８側における非遊技領域１７の所定位置に、連結部材４０の前端４２を配置させることができ、連結部材４０の前端４２の雄ねじ部材４３と締結具４５との締結箇所の配置自由度を増加させることができて、任意の位置に締結箇所を配置させ易い。
【００３８】
［変形例］
勿論、この点を考慮しなければ、図１０に示すように、連結部材４０Ａの本体４０ａを、可撓性を有しない剛性を有した棒状に形成してもよい。このような構成では、連結部材４０Ａの前端４２の雄ねじ部材４３と締結具４５との締結箇所の配置自由度を増加させ難い。しかし、この場合には、基板ケース３０と遊技盤１２との間の距離ＳＬを、連結部材４０Ａにおける棒状の本体４０ａの長さ寸法Ｌに対応させて、一定にできることから、棒状の本体４０ａを有した連結部材４０Ａを、遊技盤１２の挿通孔１９を挿通させて、前面１８側で、締結具４５と締結すれば、遊技盤１２に固定された剛性を有した連結部材４０Ａが、基板ケース３０の上下左右や前後の移動を規制できて、基板ケース３０自体の盤裏カバー２３に対する取付姿勢や位置等の取付状態を、補助することが可能となる。すなわち、連結部材４０Ａを利用して、基板ケース３０を安定して被取付部材としての盤裏カバー２３に取り付けることが可能となり、係止フック２６や一方の取付軸２５等の部材を不要にすることが可能となる。
【００３９】
［第１実施形態の作用・効果］
また、第１実施形態のパチンコ遊技機１の締結具４５は、連結部材４０の前端４２との締結後の締結解除を、連結片部４９が破断するような復元不能の締結具４５の破損によリ、行う構成として、連結部材４０の前端４２の雄ねじ部材４３に対して締結される構成とされている。そのため、第１実施形態では、基板ケース３０を取り外す際において、連結部材４０の前端４２の雄ねじ部材４３と締結具４５との締結を解除させようとすれば、締結具４５が、連結片部４９を破断させて、復元できないように破損する。そのため、不正行為者が基板ケース３０を交換しても、破損の痕跡が残ることから、基板ケース３０の不正交換を簡単に見つけることができる。
【００４０】
特に、第１実施形態では、締結解除時に破損する部位である締結具４５には、着色剤５４を封入したインクカプセル５２が収納されている。そのため、反締付方向への回転時、外筒部４８の係合突起４８ａがインクカプセル５２を押し潰すように破損させ、遊技盤１２の前面１８側から目視可能に、天板５１の背面側や発色シート５６側に着色剤５４を流出させる。そのため、第１実施形態では、着色剤５４の流出によって、締結具４５の破損が、一層、容易に確認できる（図６，９のＢ参照）。
【００４１】
［変形例］
なお、第１実施形態では、雄ねじ部材４３と締結具４５との締結解除時、締結具４５が着色剤５４を流出させて破損する場合を示したが、着色剤５４を使用すること無く、締結解除時に、連結部材の前端と締結具との少なくとも一方が破損するようにしてもよい。例えば、図１１に示すように、締結具４５Ｂを単なるナット（袋ナット）から構成するとともに、その締結具４５Ｂの雄ねじ部材４３との締結時に、接着剤を併用して、締結具４５Ｂを雄ねじ部４３ｂに接着させれば、締結解除時、雄ねじ部４３ｂをフランジ部４３ａから分離させるように、雄ねじ部材４３を破損させて、連結部材４０の前端４２と締結具４５Ｂとの締結を解除させることとなる。勿論、この時、締結具４５Ｂも、その一部に欠け等が発生し易く、実際には、連結部材４０の前端４２と締結具４５Ｂとの両方が破損して、連結部材４０の前端４２と締結具４５Ｂとの締結が解除されることとなり、痕跡を残す破損となって、基板ケース３０の不正交換を簡単に見つけることができる。
【００４２】
さらに、連結部材の前端と締結具との締結は、ねじ構造、接着の他、リベットを利用して締結しても良い。勿論、雄ねじ部材４３等の止め部材と締結具との締結構造は、締結解除時、ガラス扉４を開けて行う構造であれば、不正行為者の基板ケース３０の取り外しの意欲を削げることから、締結解除に破損を伴う構造で無くとも良い。
【００４３】
［第２実施形態］
また、図１２，１３に示す第２実施形態のパチンコ遊技機１Ｃのように、締結具６０は、非遊技領域１７における遊技盤１２の前面１８側に配置された締結本体部６４と、締結本体部６４を移動させる駆動機構６１と、から構成してもよい。駆動機構６１は、図示しない電源回路からの電源を供給されたプル式のソレノイドから構成され、電源オン時、プランジャとしての締結本体部６４が、本体６２ａ内に引き込まれるように作動される。そして、締結本体部６４が、連結部材４０Ｃの前端４２に設けられた係合孔４４ｃに挿入されて、連結部材４０Ｃに締結され、そして、連結部材４０Ｃが、挿通孔１９から抜け不能となる。
【００４４】
なお、連結部材４０Ｃの本体４０ａは、所定の長さ寸法Ｌとした第１実施形態と同一の紐状のワイヤから構成され、前端４２には、止め部材４２ａとしての係合部材４４が結合されている。この係合部材４４は、軸直交方向に係合孔４４ｃを貫通させた棒状の係合部４４ｂを、円板状のフランジ部４４ａから突出させて構成されている。
【００４５】
そして、締結具６０の駆動機構６１は、締結本体部６４を、連結部材４０Ｃを挿通孔１９から抜け不能とする締結位置ＴＰ、換言すれば、係合孔４４ｃに挿入させた締結位置ＴＰ、と、連結部材４０Ｃを挿通孔１９から抜け可能とする非締結位置ＲＰ、換言すれば、係合孔４４ｃから抜けた非締結位置ＲＰ、とに移動させるように、ソレノイド６２を電気的に制御するロック制御手段６６を備えて構成されている。
【００４６】
また、第２実施形態の締結具６０は、少なくとも、ソレノイド６２の本体６２ａから突出する締結本体部６４を覆うように、遊技盤１２に固着されるカバー６５を備えている。
【００４７】
そして、第２実施形態の場合、ロック制御手段６６は、タイマー６７と制御部６８とを備えて構成されている。そして、ロック制御手段６６は、例えば、正午から５分間だけ、ソレノイド６２をオン動作させて、締結本体部６４を、本体６２ａ内に引き込んで、係合孔４４ｃから外れた非締結位置ＲＰに、配置させ、それ以外の時には、締結本体部６４を、係合孔４４ｃ内に挿入させた締結位置ＴＰに、配置させて、連結部材４０Ｃに締結具６０を締結させている。
【００４８】
この第２実施形態のパチンコ遊技機１Ｃでは、ロック制御手段６６が作動されて、駆動機構６１が締結本体部６４を締結位置ＴＰから非締結位置ＲＰに移動させれば、連結部材４０Ｃの前端４２を締結具６０から外して、基板ケース３０を取り外すことができる。一方、ロック制御手段６６が作動されなければ、駆動機構６１が締結本体部６４を非締結位置ＲＰから締結位置ＴＰに移動させないことから、連結部材４０Ｃの前端４２は、挿通孔１９から抜けず、基板ケース３０を取り外すことができない。
【００４９】
第２実施形態では、タイマー６７の設定時間以外には、基板ケース３０を取り外せず、不正行為者が連結部材４０Ｃの前端４２と締結本体部６４との締結を無理に解除しようとすれば、ガラス扉４を開けて、遊技盤１２の前面１８側において、連結部材４０Ｃの前端４２と締結本体部６４との締結部位付近のカバー６５やソレノイド６２等を破損することとなって、手間がかかるとともに、その場合には、その痕跡が残り、基板ケース３０の不正交換を簡単に見つけることができる。
【００５０】
［第３実施形態］
また、図１４，１５に示す第３実施形態のパチンコ遊技機１Ｄのように、ロック制御手段６６Ｄとしては、赤外線を利用したリモコン発信機７０からの信号により、締結本体部６４を非締結位置ＲＰに移動させて、通常時、締結本体部６４を締結位置ＴＰに配置させるように、駆動機構６１の駆動を操作可能な受信部６９を設けて構成してもよい。このような構成では、所定のリモコン発信機７０からの信号発信時以外では、基板ケース３０を取り外せず、不正行為者が無理に取り外そうとすれば、ガラス扉４を開けて、遊技盤１２の前面１８側で、連結部材４０Ｃの前端４２と締結本体部６４との締結部位付近のカバー６５やソレノイド６２等を破損することとなって、手間がかかるとともに、その場合にも、その痕跡が残り、基板ケース３０の不正交換を簡単に見つけることができる。
【００５１】
なお、第３実施形態のロック制御手段６６Ｄでは、第２実施形態と同様に、タイマー６７も並設させており、リモコン発信機７０の操作のほか、タイマー６７で設定した所定時間にも、第２実施形態と同様に、締結本体部６４を非締結位置ＲＰに移動させて、基板ケース３０を取り外すことができる。
【００５２】
［第４実施形態］
また、第１実施形態では、連結部材４０の前端４２に設ける止め部材４２ａを、締結具４５と締結させて、遊技盤１２の前面１８側に止める構成を示したが、図１６に示す第４実施形態のパチンコ遊技機１Ｅのように、連結部材４０Ｅの前端４２に設けた止め部材４２ｂだけで、連結部材４０Ｅの前端４２を遊技盤１２の前面１８側に止めるように構成しても良い。この止め部材４２ｂは、硬質合成樹脂製のクリップ部材７３から構成され、クリップ部材７３は、第１実施形態と同様なワイヤからなる本体４０ａに連なるフランジ部７３ａと、フランジ部７３ａから前方に突出する軸部７３ｂと、軸部７３ｂの前端側に、二又状に広がる係止爪部７３ｄと、を備えて構成されている。軸部７３ｂの元部側には、挿通孔１９に嵌合される大径部７３ｃが配設されている。このクリップ部材７３では、遊技盤１２の挿通孔１９を後面２１側から前面１８側に挿入させれば、係止片部７３ｄ，７３ｄが、撓んだ後、復元して、挿通孔１９の周縁２０に係止され、連結部材４０Ｅの挿通孔１９からの抜けが規制される。なお、この係止片部７３ｄ，７３ｄの挿通孔１９の周縁２０への係止は、基板ケース３０を遊技盤１２から分離させないように、連結部材４０Ｅを後方へ強く引っ張っても、外れないように、強固に設定されている。そして、止め部材４２ｂとしてのクリップ部材７３を、遊技盤１２の前面１８側から外す際には、ガラス扉４を開けて、係止爪部７３ｄ，７３ｄを縮径させるように摘まみつつ、クリップ部材７３を、後方へ引っ張って、挿通孔１９から抜けばよい。このような構成でも、ガラス扉４を開けて、基板ケース３０を取り外さなければならず、不正行為者の意欲を削ぐことができる。
【００５３】
なお、連結部材の前端に、締結具を使用せずに遊技盤１２の前面１９側に止める止め部材を、設ける場合には、クリップ部材７３の他、挿通孔１９の孔形状を対応させて、遊技盤１２の前面１９側に、バヨネット結合させるように、構成してもよい。例えば、止め部材を、本体４０ａと直交する一文字状にして、一文字状の開口の挿通孔１９を通させ、前面１８側で、９０度回転させ、挿通孔１９の周縁２０に、閂状に係止させるように、構成してもよい。
【００５４】
また、各実施形態では、連結部材４０，４０Ａ，４０Ｅを止める遊技盤１２の前面１８の領域として、非遊技領域１７を例示したが、連結部材の前端側は、遊技領域１６に止めても良い。但し、遊技領域１６に止め部材を止める場合には、遊技球と接触しても変形せず、また、見栄えよく配設する必要が生じて、簡便に構成し難いことから、連結部材を止める領域は、非遊技領域１７とすることが望ましい。
【符号の説明】
【００５５】
１，１Ｃ，１Ｄ，１Ｅ…パチンコ遊技機、
４…ガラス扉、
１６…遊技領域、
１７…非遊技領域、
１８…前面、
１９…挿通孔、
２３…（被取付部材）盤裏カバー、
２８…制御基板、
３０…基板ケース、
４０，４０Ａ，４０Ｃ，４０Ｅ…連結部材、
４０ａ…本体、
４１…元部、
４２…前端、
４２ａ，４２ｂ…止め部材、
４５，４５Ｂ，６０…締結具、
５２…インクカプセル、
５４…着色剤、
６１…駆動機構、
６４…締結本体部、
６６，６６Ｄ…ロック制御手段、
６７…タイマー、
６９…受信部、
７０…リモコン発信機。
【図１】
0005588218.tif 000002
【図２】
0005588218.tif 000003
【図３】
0005588218.tif 000004
【図４】
0005588218.tif 000005
【図５】
0005588218.tif 000006
【図６】
0005588218.tif 000007
【図７】
0005588218.tif 000008
【図８】
0005588218.tif 000009
【図９】
0005588218.tif 000010
【図１０】
0005588218.tif 000011
【図１１】
0005588218.tif 000012
【図１２】
0005588218.tif 000013
【図１３】
0005588218.tif 000014
【図１４】
0005588218.tif 000015
【図１５】
0005588218.tif 000016
【図１６】
0005588218.tif 000017